(57)【要約】  【課題】  熱交換器により完全蒸発しきれない多量のドレン水が貯水部に流入した場合、ドレン水排水孔以外の部分（例えば基板の外縁近傍）から溢水する問題を解決すること。  【解決手段】  筺体の底部を形成する基板上に圧縮機と熱交換器を含む冷凍サイクルが設けられ、前記基板に前記冷凍サイクルから排出されるドレン水を蓄える貯水部が形成され、更に前記貯水部の該貯水部の底部に、前記貯水部にたまったドレン水を前記基板より下方に設けられた受け皿に排出する排水孔が設けられてなる一体型空気調和機において、前記基板底面の前記排水孔の近傍に、前記排水孔から流出するドレン水の外部への流出を阻止し、前記ドレン水を下部の受け皿に導く水切り部が形成されてなることを特徴とする一体型空気調和機のドレン水排水孔構造。【選択図】図４
2005188872.tif 000002
【特許請求の範囲】
【請求項１】
筺体の底部を形成する基板上に圧縮機と熱交換器を含む冷凍サイクルが設けられ、前記基板に前記冷凍サイクルから排出されるドレン水を蓄える貯水部が形成され、更に前記貯水部の底部に、前記貯水部にたまったドレン水を前記基板より下方に設けられた受け皿に排出する排水孔が設けられてなる空気調和機において、前記排水孔を含む前記排水孔の近傍は前記貯水部の底面より上方へ突出してなり、前記貯水部の貯水量が上限量となるまで前記排水孔からドレン水が外部へ流出することを阻止し、ドレン水が前記上限量を越えたとき前記ドレン水を下部の受け皿に導く水切り部が形成されてなることを特徴とする空気調和機のドレン水排水孔構造。
【請求項２】
前記水切り部が、前記排水孔の中央部から外に向けて上昇する方向に傾斜した斜面或いは垂直面により構成されてなる請求項１記載の空気調和機のドレン水排水孔構造。
【請求項３】
前記水切り部が、前記排水孔の周囲に前記排水孔の設置面より低くなる凹部、および／または前記排水孔の設置面より高くなる凸部からなり、前記凸部および凹部が、前記排水孔を内部に含む環状あるいは環状の一部として形成されたものである請求項１に記載の空気調和機のドレン水排水孔構造。
【請求項４】
前記排水孔には、孔の周縁に沿って下方向に立下り部を形成するフランジが設けられた請求項１に記載の空気調和機のドレン水排水孔構造。
【請求項５】
前記排水孔を含む水切り部が複数設けられ、前記貯水量の上限量が前記複数の水切り部ごとに異なるように設けられた請求項１〜４のいずれかに記載された空気調和機のドレン水排水孔構造。
【請求項６】
前記請求項１〜５のいずれかに記載のドレン水排水孔構造を備えたことを特徴とする一体型空気調和機。
【発明の詳細な説明】
【技術分野】
【０００１】
本発明は、空気調和機のドレン水排水孔構造に関し特に、排水孔から流出したドレン水が、外部に流出しないようにしたドレン水排出孔構造に関するものであり、特に一体型空気調和機に好適なドレン水の排出孔構造に関するものである。
【背景技術】
【０００２】
従来、室内機と室外機を一体としたいわゆる一体型空気調和機は、図１９に示すように、正面の前パネル１１を開けると、内部に図示せぬ圧縮機や熱交換器を含む冷凍サイクルを収納した筐体１０が設けられ、この筐体の底面に図１８に示すように、前記冷凍サイクルで発生したドレン水７を貯める貯水部８が形成されている。また前記貯水部８の下部には、前記貯水部８に形成された排水孔１からあふれ出たドレン水７を受ける受け皿３が設けられている。図１８に示す貯水部８の構造では、排水孔１が貯水部８の底面より高い位置に設けられていることで、ドレン水７を貯水部８の底に貯めることができる。また前記ドレン水７が、前記排水孔１の高さを超えた時に、前記排水孔１から、基板２の下方に設置された前記ドレン水用の受け皿３へ排水されるように構成されている。
【０００３】
上記のように基板２にはドレン水７を貯める貯水部８が設けられている従来例としては、特許文献１に記載された空気調和機が知られている。また、ドレン水排水孔１から排水されたドレン水７を受けるためのドレン水受け皿３が基板２の下方に設けられている空気調和機としては特許文献２がある。更に、特許文献１では、基板２の貯水部８に設けられたドレン水排水孔１にドレン水７が漏れないようにドレン栓９を取り付けたものが開示されている。
【特許文献１】特開平３−１８１７２５号公報
【特許文献２】実開平２−９６５２８号公報
【発明の開示】
【発明が解決しようとする課題】
【０００４】
一般に図１８に示すような排水部の構造では、ドレン水排水孔１から流出したドレン水７は基板２の底面を伝って基板２の外まで導かれてしまい、基板２の下方に設置されたドレン水受け皿３に排水できない可能性があった。また、前述の特許文献１に記載のドレン水排水機構では、ドレン水排水孔１を塞ぐドレン栓９を取り付けているので、ユーザが必要なときにドレン栓９を抜くことで、貯水部８に貯まったドレン水７を抜くことができる点で、便利な構造となっているが、ドレン栓９で、完全にドレン水排水孔１を閉ざしてしまうため、ユーザが気づかない間に、ドレン水７が凝縮器により完全蒸発しきれない多量のドレン水７が貯水部８に流入した場合や、外部から進入した雨水が既に相当量貯まっていた場合に、ドレン水排水孔１以外の部分（例えば基板２の外縁近傍）から溢水する可能性があった。
【課題を解決するための手段】
【０００５】
前記の問題を解決する為に本発明は、
筺体の底部を形成する基板上に圧縮機と熱交換器を含む冷凍サイクルが設けられ、前記基板に前記冷凍サイクルから排出されるドレン水を蓄える貯水部が形成され、更に前記貯水部の底部に、前記貯水部にたまったドレン水を前記基板より下方に設けられた受け皿に排出する排水孔が設けられてなる空気調和機において、前記排水孔を含む前記排水孔の近傍は前記貯水部の底面より上方へ突出してなり、前記貯水部の貯水量が上限量となるまで前記排水孔からドレン水が外部へ流出することを阻止し、ドレン水が前記上限量を越えたとき前記ドレン水を下部の受け皿に導く水切り部が形成されてなることを特徴とする空気調和機のドレン水排水孔構造として構成されている。
【０００６】
前記水切り部は、前記排水孔の中央部から外に向けて上昇する方向に傾斜した斜面或いは垂直面により構成することができる。
また、前記水切り部の構造として、前記排水孔の周囲に前記排水孔の設置面より低くなる凹部、および／または前記排水孔の設置面より高くなる凸部からなり、前記凸部および凹部が、前記排水孔を内部に含む環状あるいは環状の一部として形成されたものとして構成することができる。
前記排水孔には、孔の周縁に沿って下方向に立下り部を形成するフランジが設けられてもよい。
更に、前記排水孔を含む水切り部が複数設けられ、前記貯水量の上限量が前記複数の水切り部ごとに異なるように設けられるように設定されたドレン水排水孔構造が考えられる。
また、前記のような排水孔構造を備えた一体型空気調和機が考えられる。
【発明の効果】
【０００７】
以上のような構成とする事により、凝縮器により完全蒸発しきれない多量のドレン水が貯水部に流入し、ドレン水が排水孔から溢れたときに、基板の底面を伝って流れようとするドレン水は、前記水切り部でそこ以上に基板の外方向に流れることがないと共に、下部の受け皿に導かれるので、ドレン水が外部に漏出するような不都合が回避される。
前記水切り部が、前記排水孔の中央部から外に向けて上昇する方向に傾斜した斜面或いは垂直面により構成されている場合には、前記斜面のドレン水があがることが出来ないので、その流出が阻止される。
【０００８】
また前記水きり部の更なる具体例として、前記排水孔の周囲に前記排水孔の設置面より低くなる凹部及び／又は前記排水孔の設置面より高くなる凸部とからなり、前記凸部および凹部が、前記排水孔を内部に含む環状あるいは環状の一部として形成されたものの場合も同様に、凹部に差し掛かったドレン水はそれより高い凸部を上ることが出来ないので、前記凹部より外側に流れることが出来ないので、下部の受け皿に流れ落ちることになる。
前記排水孔には、孔の周縁に沿って下方向に立下り部を形成するフランジが設けられた場合も同様にドレン水は上記フランジ部をのぼることが出来ず、下部の受け皿に流れ落ちる。
更に、前記排水孔を含む水切り部が複数設けられ、前記貯水量の上限量が前記複数の水切り部ごとに異なるように設けられた空気調和機のドレン水排水孔構造である場合には、必要に応じて低いほうの排水孔にドレン栓を施すことで、貯水部に蓄えられるドレン水の量を調整することができる。
【発明を実施するための最良の形態】
【０００９】
以下本考案の実施形態例を図を用いて説明する。尚、説明の便宜上、従来の技術の項に記載した構成と同一の構成については同一の符号を付している。
図１は、受け皿３を取り付けた一体型空気調和機の側面図、図２は本発明の第１の実施形態を示す上面図であり、図３は図２のＣ−Ｃにおける断面図である。
図２に示すように、この実施形態に係るドレン水排水孔構造は、ドレン水７を貯える基板２の貯水部８に設けられたドレン水排水孔１が、キャビネット４にネジ５で固定されたドレン水受け皿３の上部でドレン水７がドレン水受け皿３内に排水される位置に設けられている点については、前記従来の構造と同様であるが、図３に示すように、前記ドレン水排水孔１を囲うように下向きに断面で凸形状の環状凸部６ａと、更に前記環状凸部６ａを囲んでその外側に前記環状凸部６ａより高い位置に形成された断面で凹形状の環状凹部６ｂが形成されている点で、従来の構造と異なる。前記のような環状凸部６ａと環状凹部６ｂは、別言すれば、前記排水孔１の周りに形成された環状の尾根部と、該環状の尾根部の外側であって該環状の尾根部よりも低い位置に形成された環状の谷部と表現できる。これを更に上位概念で表すと、前記排水孔から流出するドレン水７の外部への流出を阻止すると共に下部の受け皿にドレン水７を導く水切り部と表現でき、前記環状凸部６ａと環状凹部６ｂとが、水切り部の一例である。
【００１０】
このような形状にすれば、図４に示すように、凝縮器（図示なし）により完全蒸発しきれない多量のドレン水７が貯水部８に流入した後、排水孔１から流出して環状凸部６ａに至ると、このドレン水７は、その外側の環状凹部６ｂとの間の斜面１３を上ることが出来ないので、図４に示すように環状凸部６ａに貯まり、やがて下方の受け皿３に落下することになる。
このように、この実施形態では、ドレン水７が前記環状凸部６ａと、その外側の環状凹部６ｂとの間に形成される、前記排水孔１の中心線Ｆから外に向けて上昇する方向の斜面１３を登ることが出来ないので、外部への流れが阻止され、下方の受け皿３に滴下することになる。
【００１１】
次に、本発明の第２の実施形態について説明する。尚、以下の各実施形態において、その前に説明した実施形態と対応する部分には同一の符号を付してあり、重複する説明は省略している。
図５は本発明の別の実施形態であるドレン水排水孔構造の上面図、図６は、図５のＤ−Ｄにおける断面図である。
【００１２】
この場合、図に示すごとく貯水部８の底面に２個の排水孔１ａ、１ｂが形成されている。更に、前記各排水孔１ａを中心として、断面凸形状の環状凸部６ａａと、更に前記環状凸部６ａａを囲んでその外側に前記環状凸部６ａａより高い位置に形成された断面凹形状の環状凹部６ｂａが、また排水孔１ｂを中心として、断面凸形状の環状凸部６ｂａと、更に前記環状凸部６ｂａを囲んでその外側に前記環状凸部６ｂａより高い位置に形成された断面凹形状の環状凹部６ｂｂが、それぞれ形成されている。つまり、各排水孔１ａ、１ｂに対応してそれぞれ水切り部が形成されている。
【００１３】
この実施形態における特徴は、前記のように複数の排水孔１ａ、１ｂ・・・とその周りに水切り部がそれぞれ設けられている点と、各排水孔１ａ、１ｂに対応して設けられた環状凹部６ｂａ、６ｂｂの貯水部８の底部からの高さＡとＢとに差がある点である。
従ってこの実施形態では、必要に応じて高さの低いほうの排水孔１ａに、図７のように盲のドレン栓９を着脱することで、貯水部８内のドレン水７の水位がＡを超えても排水孔１ａからドレン水７を排水できないようにしたり、或いは貯水部８内のドレン水７の水位がＡを超えた時に、排水孔１ａからドレン水７を排水するように、ドレン水７の貯水水位を選択することができるようになっている。これにより、更に適切な凝縮器（図示なし）によるドレン水７の蒸発を得ることができる。
【００１４】
以上述べた、或いは以下に述べる全ての実施形態における環状凸部及び環状凹部の平面視における形状は、円環状であっても適当な多角形その他任意の曲線或いは直線の組み合わせであってもよい。
【００１５】
他の実施形態を、図８、９、１０、１１，１２，１３，１４，１５及び１６に示す。
図８、９の例では、ドレン水排水孔１が設けられている近傍面を囲うように環状凸部６ａと環状凹部６ｂとが、間に斜面１３を挟んで成形された例である。
図１０、１１では、前記ドレン水排水孔１を囲うように下に断面凸形状の環状凸部６ａと、更に前記環状凸部６ａを囲んでその外側に前記環状凸部６ａより高い位置に形成された断面凹形状の環状凹部６ｂが、間に斜面１３を挟んで形成されている。
図１２の実施形態は、環状凸部６ａが、排水孔１の端縁部により構成された例である。
図１３の実施形態では、ドレン水排水孔１の周囲が下方に突出するように成型されることにより環状凸部６ａが構成されている。この場合、ドレン水７の流れは、前記環状凸部６ａの垂直面１３ａにより阻止される。
【００１６】
図１４の実施形態では、ドレン水排水孔１の周囲の下方に突出するように形成された環状凸部６ａ  に、ドレンホース１２が直接取り付けられたものである。
前記したいずれの実施形態においても、環状凸部や環状凹部は、閉じられた環状をなしているが、一定方向へのドレン水７の流れを阻止できればよい場合や、空気調和機の据付条件によって基板底面が傾斜し、一定方向へしかドレン水７が流れないような場合もあり、その場合、前記環状凸部や環状凹部が必ずしも閉じられた環状でなくても、部分的に環状であってもよい。
【００１７】
図１５、図１６に示した実施形態はこのような場合に対応したものであり、排水孔１を囲む環状凸部６ａが、前記排水孔１を部分的、例えば１８０度に円弧状排水孔１を囲うように設けられたものである。これは、例えば基板２の外縁２ａ側が低くなるよう空気調和機が傾斜して据付けられる場合には、ドレン水が一定方向へしか流れないと思われるために、前記外縁２ａ側のみに水切り部を形成したものである。
【産業上の利用可能性】
【００１８】
本発明は、室内機と室外機を一体としたいわゆる一体型空気調和機の排水孔構造に利用することが可能である。
【図面の簡単な説明】
【００１９】
【図１】ドレン水の受け皿３を取り付けた一体型空気調和機の側面図である。
【図２】本発明の第１の実施形態に係る空気調和機の内部構造を示す上面図である。
【図３】図２のＣ−Ｃ断面図である。
【図４】本発明の第１の実施形態の効果を説明する断面図である。
【図５】本発明の第２の実施形態に係る空気調和機を示す上面図である。
【図６】図５のＤ−Ｄ断面図。である
【図７】本発明の第２の実施形態の効果を説明する断面図である。
【図８】本発明の第１の他の実施形態に用いる基板を示す断面図である。
【図９】本発明の第１の他の実施形態を示す断面図である。
【図１０】本発明の第１の他の実施形態を示す断面図である。
【図１１】本発明の第１の他の実施形態を示す断面図である。
【図１２】本発明の第１の他の実施形態を示す断面図である。
【図１３】本発明の第１の他の実施形態を示す断面図である。
【図１４】本発明の第１の他の実施形態を示す断面図である。
【図１５】本発明の第１の他の実施形態を示す上面図である。
【図１６】図１５のＥ−Ｅ断面図である。
【図１７】従来技術の実施形態を示す断面図である。
【図１８】従来技術の問題を示す断面図である。
【図１９】一体型空気調和機の基本構成を示す斜視図である。
【符号の説明】
【００２０】
１  排水孔
２  基板
３  受け皿
４  キャビネット
６ａ（６ａａ、６ａｂ）  環状凸部
６ｂ（６ｂａ、６ｂｂ）  環状凹部
５  ネジ
７  ドレン水
８  貯水部
９  ドレン栓
１０  内部ユニット
１１  前面パネル
１２  ドレンホース
【図１】
2005188872.tif 000003
【図２】
2005188872.tif 000004
【図３】
2005188872.tif 000005
【図４】
2005188872.tif 000006
【図５】
2005188872.tif 000007
【図６】
2005188872.tif 000008
【図７】
2005188872.tif 000009
【図８】
2005188872.tif 000010
【図９】
2005188872.tif 000011
【図１０】
2005188872.tif 000012
【図１１】
2005188872.tif 000013
【図１２】
2005188872.tif 000014
【図１３】
2005188872.tif 000015
【図１４】
2005188872.tif 000016
【図１５】
2005188872.tif 000017
【図１６】
2005188872.tif 000018
【図１７】
2005188872.tif 000019
【図１８】
2005188872.tif 000020
【図１９】
2005188872.tif 000021